(57)【要約】【課題】本発明は、電力測定システム及びそれを利用した負荷電力モニタリングシステム及びその動作方法に関するものである。【解決手段】本発明の実施例による負荷電力モニタリングシステムは、外部電力源と、電力を生成または外部電力供給源から印加される電力を貯蔵し、生成または貯蔵された電力を放電する新再生エネルギー源と、外部電力供給源または新再生エネルギー源から印加される電力を電子機器に分配する分電盤と、外部電力供給源または新再生エネルギー源のうち少なくともいずれか一つの電力量データを感知する電力測定装置と、電子機器に分配される電力量データを感知する第２電力測定装置と、それぞれの電力測定装置から感知された電力量データを収集し、収集された電力量データに基づいて負荷の電力をモニタリングするモニタリングサーバと、を含む。【選択図】図２
2016197988.tif 000002
【特許請求の範囲】
【請求項１】
外部電力源と、
電力を生成または前記外部電力供給源から印加される電力を貯蔵し、前記生成または貯蔵された電力を放電する新再生エネルギー源と、
前記外部電力供給源または前記新再生エネルギー源から印加される電力を電子機器に分配する分電盤と、
前記外部電力供給源または新再生エネルギー源のうち少なくともいずれか一つの電力量データを感知する電力測定装置と、
前記電子機器に分配される電力量データを感知する第２電力測定装置と、
前記それぞれの電力測定装置から感知された電力量データを収集し、前記収集された電力量データに基づいて負荷の電力をモニタリングするモニタリングサーバと、を含む、負荷電力モニタリングシステム。
【請求項２】
前記新再生エネルギー源は太陽光発電装置またはエネルギー貯蔵装置のうち少なくとも一つである、請求項１に記載の負荷電力モニタリングシステム。
【請求項３】
前記新再生エネルギー源が太陽光発電装置である場合、
前記太陽光発電装置は、
太陽光モジュールと、
前記太陽光モジュールのエネルギーを電力変換する制御モジュールと、を含む、請求項２に記載の負荷電力モニタリングシステム。
【請求項４】
前記太陽光発電装置の一端に第３電力測定装置を連結し、
前記第３電力測定装置は、前記太陽光発電双対の発電量及び電力出力量を含む第３電力量データを感知する、請求項３に記載の負荷電力モニタリングシステム。
【請求項５】
前記新再生エネルギー源がエネルギー貯蔵装置である場合、
前記エネルギー貯蔵装置は、
前記外部電力供給源から印加される電力を充電し、前記充電された電力を分電盤に連結された電子機器に放電する、請求項２に記載の負荷電力モニタリングシステム。
【請求項６】
前記エネルギー貯蔵装置の一端に第４電力測定装置を連結し、
前記第４電力測定装置は、前記充電電力量及び放電電力量を含む第４電力量データを感知する、請求項５に記載の負荷電力モニタリングシステム。
【請求項７】
前記分電盤の一端に連結される第２電力測定装置は、前記電子機器に印加される電力量及び前記電子機器で消費される電力量消費パターンを含む電力量データを感知する、請求項１に記載の負荷電力モニタリングシステム。
【請求項８】
前記サーバは、前記第２電力測定装置から感知される電力量データは前記サーバでＮＩＬＭアルゴリズムによって電力量消費パターンを取得する、請求項７に記載の負荷電力モニタリングシステム。
【請求項９】
前記サーバは、
前記電力測定装置から電力量データを収集する通信部と、
前記収集された電力量データを確認する制御部と、
前記確認された電力量データを貯蔵する貯蔵部と、
前記貯蔵部に貯蔵された電力量データを出力する出力部と、を含む、請求項１に記載の負荷電力モニタリングシステム。
【請求項１０】
前記制御部は、前記収集された電力量データのうち少なくとも２つの電力量データに基づいて少なくとも一つの電力量データを推定し確認する、請求項９に記載の負荷電力モニタリングシステム。
【請求項１１】
外部電力源から流入される第１電力量データ、電子機器に印加される第２電力量データまたは少なくとも一つの新再生エネルギー源の電力量データのうち少なくとも２つの電力量データを収集するステップと、
前記収集された電力量データを確認するステップと、
前記収集された電力量データに基づいて収集されていない電力量データを推定し確認するステップと、を含む、負荷電力のモニタリング方法。
【請求項１２】
前記第２電力量データは、前記外部電力源から流入される電力量データ及び前記新再生エネルギー源から印加される電力量データが分電盤を介して前記電子機器に印加される電力量及び前記電子機器で消費される電力量データに関する情報を含む、請求項１１に記載の負荷電力のモニタリング方法。
【請求項１３】
前記分電盤を介して確認される電力量データは、前記電子機器の電力量消費パターン情報を含む、請求項１２に記載の負荷電力のモニタリング方法。
【請求項１４】
前記新再生エネルギー源の電力量データは、前記第１電力量データと前記第２電力量データの加減によって推定される、請求項１１に記載の負荷電力のモニタリング方法。
【請求項１５】
前記新再生エネルギー源の電力量データは、前記第１電力量データと前記第２電力量データの差（−）よって推定される、請求項１４に記載の負荷電力のモニタリング方法。
【請求項１６】
前記新再生エネルギー源がエネルギー貯蔵装置である場合、前記電力量データは電力充電量または放電量が推定される、請求項１５に記載の負荷電力のモニタリング方法。
【請求項１７】
前記第１電力量データは、前記第２電力量データと前記新再生エネルギー源の電力量データの合計（＋）によって推定される、請求項１１に記載の負荷電力のモニタリング方法。
【請求項１８】
前記新再生エネルギー源が複数個であれば前記複数の新再生エネルギー源の電力量データの合計（＋）と前記第２電力量データの差（−）によって前記第１電力量データを推定する、請求項１１に記載の負荷電力のモニタリング方法。
【請求項１９】
前記新再生エネルギー源が複数個であれば前記第１電力量エネルギーと第１新再生エネルギー源の電力量エネルギーの合計（＋）と前記第２電力量エネルギーの差（−）によって前記第２新再生エネルギー源の電力量データを推定する、請求項１１に記載の負荷電力のモニタリング方法。
【請求項２０】
前記新再生エネルギー源のうちエネルギー貯蔵装置が含まれた場合、前記エネルギー貯蔵装置の電力量データは電力の充電量及び放電量を含む、請求項１９に記載の負荷電力のモニタリング方法。
【発明の詳細な説明】
【技術分野】
【０００１】
本実施例は、電力測定システム及びそれを利用した負荷電力モニタリングシステム及びその動作方法に関するものである。
【背景技術】
【０００２】
デジタル技術及びネットワーク技術の発展と共に生活家電及び情報家電機器も技術の融合化／複合化に伴って多様な機能を備えた形態に開発されており、各過程及び事務所ではこのようなデジタル融合／複合機器が広く普及されている。しかし、機能の融合化／複合化及びネットワーキング機能の支援のため、このような情報家電機器はユーザの要請による電力消耗及びユーザの意図とは異なって、そしてユーザが認識しない間に待機電力が消耗されてしまう。
【０００３】
しかし、ユーザは自分のどの機器がどのような特定期間の間にどれだけの電力を消耗するのかが分からないため、電気エネルギーの節約への必要性を感じることができないでいる。
【０００４】
このような問題点を解決するために、電子機器別のエネルギー消費モニタリング機能に関して、家庭及び建物単位別に消耗される電力量の総量を測定する計量器によって電子機器別に特定期間を決めて電力消耗量及び電力消費形態を分析及びモニタリングする技術がある。
【０００５】
図１は、従来の負荷電力モニタリングシステムのブロック構成図である。
【０００６】
図１を参照すると、従来の負荷電力モニタリングシステムは外部電力供給源１から各家庭３に供給される電力は各家庭３ごとに設けられる分電盤２を介してコンセントに連結された家電機器に供給される。特に、分電盤２には外部電力供給源１から供給される電力が家庭３内の家電機器でどのように使用されるのか、電力の使用状態及び使用電力量を確認するための電力測定装置４を構成する。
【０００７】
上述した電力測定装置４は家電機器の電力使用量及び使用パターン情報を利用して遠隔地のサーバを介して個別モニタリングを行う。
このような従来の負荷モニタリングのためのシステム及び方法は、外部電力供給源１以外の発電源またはエネルギー源から付加的に流入される電力量に対する感知は不可能である。また、付加的に流入される電力量を感知するために高精密性を要求する従来の測定装置を付加してシステムを設計する場合、過度なシステム設計コスト及び不必要な装置の構成によるシステムの大型化のような問題をもたらす恐れがある。
【発明の概要】
【発明が解決しようとする課題】
【０００８】
本実施例では、従来の外部電力供給源以外にも新再生エネルギー源を負荷して負荷にエネルギーを供給し、負荷に供給されるエネルギーに対する消費状態をモニタリングする電力測定システム及びそれを利用した負荷電力モニタリングシステム及びその動作方法を提供する。
【０００９】
また、本発明は負荷及び負荷に供給される電力供給装置に対する電力消費電力量及び状態を捉えるために最小のコストで効果的なシステムを構成し負荷電力をモニタリングするする電力測定システム及びそれを利用した負荷電力モニタリングシステム及びその動作方法を提供する。
【００１０】
また、本発明は負荷及び負荷に供給される電力供給装置に対する電力消費電力量及び状態を捉える高い信頼性及び高効率の電力測定システム及びそれを利用した負荷電力モニタリングシステム及びその動作方法を提供する。
【課題を解決するための手段】
【００１１】
前記のような目的を達成するための本発明の実施例による負荷電力モニタリングシステムは、外部電力源と、電力を生成または前記外部電力供給源から印加される電力を貯蔵し、前記生成または貯蔵された電力を放電する新再生エネルギー源と、前記外部電力供給源または前記新再生エネルギー源から印加される電力を電子機器に分配する分電盤と、前記外部電力供給源または新再生エネルギー源のうち少なくともいずれか一つの電力量データを感知する電力測定装置と、前記電子機器に分配される電力量データを感知する第２電力測定装置と、前記それぞれの電力測定装置から感知された電力量データを収集し、前記収集された電力量データに基づいて負荷の電力をモニタリングするモニタリングサーバと、を含む。
【００１２】
また、本発明の実施例による負荷電力モニタリング方法は、外部電力源から流入される第１電力量データ、電子機器に印加される第２電力量データまたは少なくとも一つの新再生エネルギー源の電力量データのうち少なくとも２つの電力量データを収集するステップと、前記収集された電力量データを確認するステップと、前記収集された電力量データに基づいて収集されていない電力量データを推定し確認するステップと、を含む。
【発明の効果】
【００１３】
上述したように、本発明の実施例による電力測定装置及びそれを利用した負荷電力モニタリングシステム及びその動作方法は最小のコストで高信頼性及び高性能のシステムを構成し、それによる負荷電力量を効率的に実行するようにする効果を有する。
【図面の簡単な説明】
【００１４】
【図１】従来の負荷電力モニタリングシステムのブロック構成図である。
【図２】本発明の一実施例による負荷電力モニタリングシステムのブロック構成図である。
【図３】本発明の一実施例による負荷電力モニタリングシステムが適用される負荷電力モニタリングの動作を示すフローチャートである。
【図４】本発明の一実施例による負荷電力モニタリングシステムが適用される負荷電力モニタリングの動作を示すフローチャートである。
【図５】本発明の一実施例による負荷電力モニタリングシステムが適用される負荷電力モニタリングの動作を示すフローチャートである。
【図６】本発明の他の実施例による負荷電力モニタリングシステムのブロック構成図である。
【図７】本発明の他の実施例による負荷電力モニタリングシステムが適用される負荷電力モニタリングの動作を示すフローチャートである。
【図８】本発明の他の実施例による負荷電力モニタリングシステムが適用される負荷電力モニタリングの動作を示すフローチャートである。
【図９】本発明の他の実施例による負荷電力モニタリングシステムが適用される負荷電力モニタリングの動作を示すフローチャートである。
【図１０】本発明のまた他の実施例による負荷電力モニタリングシステムのブロック構成図である。
【図１１】本発明のまた他の実施例による負荷電力モニタリングシステムが適用される負荷電力モニタリングの動作を示すフローチャートである。
【図１２】本発明のまた他の実施例による負荷電力モニタリングシステムが適用される負荷電力モニタリングの動作を示すフローチャートである。
【図１３】本発明のまた他の実施例による負荷電力モニタリングシステムが適用される負荷電力モニタリングの動作を示すフローチャートである。
【図１４】本発明の実施例によるモニタリングサーバのブロック構成図である。
【図１５】本発明の実施例による負荷電力モニタリングの結果を出力する動作を示すフローチャートである。
【図１６】本発明の実施例による負荷電力モニタリングの結果の出力例示図である。
【発明を実施するための形態】
【００１５】
本明細書及び特許請求の範囲で使用された用語や単語は通常的であるか辞書的な意味に限って解析されてはならず、発明者は自らの発明を最前の方法で説明するために用語の概念を適切に定義するという減速に立脚して本発明の技術的思想に符合する意味と概念で解析しなければならない。
【００１６】
よって、本明細書に記載された実施例と図面に示した構成は本発明の最も好ましい一実施例に過ぎず、本実施例の技術的思想を全て代弁するものではないため、本出願時点でそれらを代替可能な多様な均等物を変形例が存在する可能性があることを理解すべきである。
【００１７】
以下、添付した図面を参照して本発明の好ましい実施例による電力測定装置及びそれを利用した負荷電力モニタリングシステム及びその動作方法について詳細に説明する。
【００１８】
図２は、本発明の一実施例による負荷電力モニタリングシステムのブロック構成図である。
【００１９】
図２を参照すると、本発明の一実施例による負荷電力モニタリングシステムはモニタリングサーバ１０、外部電力供給源１１０、分電盤１２０、電子機器１３０及び太陽光発電装置１４０を含む。特に、外部電力供給源１１０、分電盤１２０及び太陽光発電装置１４０の出力端または入力端には装置に流入または出力される電力量データを感知するための電力測定装置１５１、１５２、１５３を含んで構成する。
【００２０】
本発明の一実施例では新再生エネルギー源として太陽光発電装置に限って説明するが、電力を生産し得る新再生エネルギー源は適用可能である。モニタリングサーバ１０は電力測定装置１５１、１５２、１５３から測定された負荷及び電力源の電力消費量、流入量または電力消費パターンを含む電力量データを取得する。取得されたデータに基づいて負荷の電力をモニタリング及び出力する。
【００２１】
図１４は、本発明の実施例によるモニタリングサーバのブロック構成図である。
【００２２】
図１４を参照すると、本発明の一実施例によるモニタリングサーバ１０は通信部１１、制御部１２、貯蔵部１３及び出力部１４を含んで構成される。
【００２３】
通信部１１は電力測定装置１５１、１５２、１５３、１５４または外部装置の間で無線または有線通信を可能にするための一つ以上のモジュールを含む。
【００２４】
通信部１１はＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）が利用される無線インターネットモジュール、ブルートゥース（Ｂｌｕｅｔｏｏｔｈ）、ＲＦＩＤ（Ｒａｄｉｏ  Ｆｒｅｑｕｅｎｃｙ  Ｉｎｄｅｔｉｆｉｃａｔｉｏｎ）、赤外線通信（ＩｒＤＡ，ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅが利用される近距離通信モジュール、優先通信モジュールなど多様な形態に構成される。通信部１１は電力測定装置１５１、１５２、１５３、１５４などから電力量データを受信する。
【００２５】
制御部１２は通信部１１を介して受信される電力測定装置１５１，１５２，１５３，１５４の電力量データを確認し分析する。制御部１２は受信される電力測定装置の電力量データに応じて電力量または電力使用パターンに対するデータを抽出及び処理する。一例として、電力使用パターンを分析するためにはＮＩＬM（Ｎｏｎ−ｉｎｔｒｕｓｉｖｅ  Ｌｏａｄ  Ｍｏｎｉｔｏｒｉｎｇ）アルゴリズムによって実行される。また、制御部１２は電力量データ及び該当電力量測定装置に関する情報を貯蔵部１３に貯蔵するか出力部１４に出力するように制御する。
【００２６】
貯蔵部１３は通信部１１を介して受信される電力量データを貯蔵する。貯蔵部１３は制御部１２で実行される電力使用パターンを分析するためのアルゴリズムを貯蔵する。貯蔵部１３の例としては、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えばＳＤまたはＸＤメモリなど）、ラム（Ｒａｎｄｏｍ  Ａｃｃｅｓｓ  Ｍｅｍｏｒｙ，ＲＡＭ）、ＳＲＡＭ（Ｓｔａｔｉｃ  Ｒａｎｄｏｍ  Ａｃｃｅｓｓ  Ｍｅｍｏｒｙ）、ロム（Ｒｅａｄ−Ｏｎｌｙ  Ｍｅｍｏｒｙ，ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの貯蔵媒体を含む。
【００２７】
出力部１４は制御部１２の制御に基づいて電力測定装置から受信されて処理された電力量データ及び分析データを映像またはオーディオなどの多様な形態に出力する。出力部１４の例としてはディスプレー部、音響出力部などが含まれる。
【００２８】
その他、ユーザ入力部（図示せず）を構成してもよく、ユーザ入力部の入力に基づいてサーバ１０を制御するかモニタリングされた負荷の電力量を出力してもよい。
【００２９】
前記のようにサーバ１０から処理される電力量データを取得するための構成としては外部電力供給源１１０、分電盤１２０、電子機器１３０及び太陽光発電装置１４０を含む。
【００３０】
外部電力供給源１１０は発電所のような外部電力発電源であって、外部電力供給源１１０から流入される電力は分電盤１２０を介して宅内の電子機器１３０を含む多様な負荷に供給される。
【００３１】
分電盤１２０は外部電力供給源１１０または太陽光発電装置１４０から流入される電力を宅内の電子機器１３０のような多様な負荷に印加されるように分配する。
【００３２】
太陽光発電装置１４０は太陽光モジュール１４１及び制御モジュール１４２を含んで構成される。太陽光発電装置１４０の太陽光モジュール１４１に入射される太陽光エネルギーを制御モジュール１４２で交流電力を変換して分電盤１２０に供給するようにする。本発明の実施例では太陽光発電装置１４０として新再生エネルギー源を例に挙げて説明している。これに限らず、風力、水力など多様な新再生エネルギーを発電し得る多様な装置で構成してもよい。
【００３３】
外部電力供給源１１０と分電盤１２０の入力端及び太陽光発電装置１４０の出力端にはそれぞれ電力測定装置１５１、１５２、１５３を連結して構成する。
【００３４】
外部電力供給源１１０の出力端に連結される第１電力測定装置１５１は外部電力供給源１１０から供給される電力量を測定する少なくとも一つ以上のモジュールで構成される。
【００３５】
また、分電盤１２０の入力端に連結される第２電力測定装置１５２は外部電力供給源１１０または太陽光発電装置１２０から流入される電力を宅内の電子機器１３０のような多様な負荷に供給する場合、負荷で使用される電力量を測定可能な少なくとも一つのモジュールで構成される。特に第２電力測定装置１５２は負荷の消費電力量の測定以外にも負荷の電力量の使用パターンを測定してもよい。即ち、第２電力測定装置１５２は負荷が消費する電力量以外にも負荷の動作状態情報及び電力消費パターン情報を含んで電力量データを測定する。
【００３６】
また、太陽光発電装置１４０の出力端に連結される第３電力測定装置１５３は太陽光発電装置１４０で発電される電力量を測定する少なくとも一つのモジュールで構成される。
【００３７】
上述したような電力測定装置を含む負荷電力モニタリングシステムの構成に基づいて、図３乃至図５を参照して一実施例による負荷電力モニタリング方法について詳細に説明する。以下、モニタリング方法はデータが収集される順番を限定して説明したが、これはデータの収集順番とは関係なく各電力測定装置からデータが収集される。
【００３８】
図３乃至図５は、本発明の一実施例による負荷電力モニタリングシステムが適用される負荷電力モニタリングの動作を示すフローチャートである。
【００３９】
図３は、モニタリングサーバ１０で負荷電力モニタリング動作を行う第１実施例による動作を示すフローチャートである。
【００４０】
図３を参照すると、モニタリングサーバ１０は通信部１１を介して電力測定装置１５１、１５２、１５３から電力量データを収集する（Ｓ３１０）。詳しくは、モニタリングサーバ１０は外部電力供給源１１０の出力端に構成される第１電力測定装置１５１、分電盤１２０の入力端に構成される第２電力測定装置１５２及び太陽光発電装置１４０の出力端に構成される第３電力測定装置１５３からそれぞれ測定及び取得される電力量データを収集する。即ち、本発明の実施例では太陽光発電装置１４０の出力端に第３電力測定装置１５３を構成することを例に挙げて説明したが、第３電力測定装置１５３の電力量データは第１電力量データ及び第２電力量データによって推定されるため、第３電力測定装置１５３はシステムの構成実施例によって含まれずに構成されてもよい。
【００４１】
モニタリングサーバ１０の制御部１２は通信部１１を介して収集された第１電力測定装置１５１の電力量データを確認する（Ｓ３２０）。制御部１２は外部電力供給源１１０から印加された電力量を含む第１電力量データを確認する。
【００４２】
モニタリングサーバ１０の制御部１２は第１電力測定装置１５１の電力量データを確認すると、第２電力測定装置１５２から受信された第２電力量データを確認する（Ｓ３３０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。ＮＩＬＭアルゴリズムは分電盤１２０に連結される電力測定装置から分電盤に連結される電子機器それぞれが消耗する電力量及び電力使用パターンを分析する。
【００４３】
モニタリングサーバ１０の制御部１２は第２電力測定装置１５２の電力量データを確認すると、第１電力測定装置１５１及び第２電力測定装置１５２の電力量データに基づいて第３電力測定装置１５３の電力量データを推定し確認する（Ｓ３４０）。詳しくは、制御部１２は第１電力測定装置１５１の第１電力量データと第２電力測定装置１５２の第２電力量データの差（−）によって第３電力測定装置１５３の電力量データを算出する。即ち、外部電力供給源１１０から流入される電力量（第１電力量データ）と分電盤１２０を介して電子機器１３０で消費された電力量（第２電力量データ）の差を算出すると、太陽光発電装置１４０から発電された電力量（第３電力量データ）を算出することができる。
【００４４】
上述したように、制御部１２は第１電力測定装置１５１および第２電力測定装置１５２それぞれの流入電力量及び消費電力量を含む電力量データを確認し、確認された電力量データに基づいて太陽光発電装置１４０のような新再生エネルギー源に対する発電量を含む第３電力量データを推定し確認する。また、第２電力測定装置１５２は感知された電力量データを直接モニタリングサーバ１０に伝送してモニタリングサーバ１０の制御部１２で分析してもよい。また、第２電力推定装置１５２は感知された電力量データに基づいて負荷の使用パターンを分析した後、分析されたデータをモニタリングサーバ１０に伝送してもよい。このような場合、モニタリングサーバ１０で第１電力測定装置１５１と第３電力測定装置１５３から収集されたデータを比較及び分析してディスプレーされるようにする。
【００４５】
制御部１２は確認された第１電力量データ、第２電力量データ及び第３電力量データを全て貯蔵部１３に貯蔵する。
【００４６】
図４は、モニタリングサーバ１０で負荷電力モニタリング動作を行う第２実施例による動作を示すフローチャートである。
【００４７】
図４を参照すると、モニタリングサーバ１０は通信部１１を介して電力測定装置１５１、１５２、１５３から電力量データを収集する（Ｓ４１０）。詳しくは、モニタリングサーバ１０は外部電力供給源の出力端に構成される第１電力測定装置１５１、分電盤１２０の入力端に構成される第２電力測定装置１５２及び太陽光発電装置１４０の出力端に構成される第３電力測定装置１５３からそれぞれ測定及び取得される電力量データを収集する。本実施例では第１電力測定装置１５１の電力量データを収集しなくても第２電力量データ及び第３電力量データを介して収集されていない第１電力量データを推定することができる。よって、第１電力量測定装置１５１はコスト及び設置の便宜のために構成されなくてもよい。
【００４８】
モニタリングサーバ１０の制御部１２は第２電力装置１５２から受信された第２電力量データを確認する（Ｓ４２０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【００４９】
モニタリングサーバ１０の制御部１２は第２電力測定装置１５２の電力量データを確認すると、第３電力測定装置１５３から受信された第３電力量データを確認する（Ｓ４３０）。制御部１２は太陽光発電装置１４０から発電される電力量を含む第３電力量データを確認する。
【００５０】
モニタリングサーバ１０の制御部１２は確認された第２電力測定装置１５２の電力量データ及び第３電力測定装置１５３の電力量データに基づいて第１電力測定装置１５１の電力量データを推定し確認する（Ｓ４４０）。詳しくは、制御部１２は第３電力測定装置１５３の第３電力量データと第２電力測定装置１５２の第２電力量データの差（−）によって第１電力測定装置１５１の電力量データを算出する。即ち、太陽光発電装置１４０で発電された電力量（第３電力量データ）に分電盤１２０を介して電子機器１３０で消費された電力量（第２電力量データ）の差を算出すると、外部電力供給源１１０から流入される電力量（第１電力量データ）を推定し確認することができる。
【００５１】
上述したように、制御部１２は第２電力測定装置１５２及び第３電力測定装置１５３それぞれの消費電力量または発電量を含む電力量データを確認し、確認された電力量データに基づいて外部電力供給源１１０から流入される電力量を含む第１電力測定装置１５１の第１電力量データを推定し確認する。即ち、本発明の実施例では外部電力供給源１１０の一端に第１電力測定装置１５１を構成することを例に挙げて説明したが、第１電力測定装置１５１の電力量データは第２電力量データ及び第３電力量データによって推定されるため、第１電力測定装置１５１はシステムの構成実施例によって含まれずに構成されてもよい。
【００５２】
制御部１２は確認された第１電力量データ、第２電力量データ及び第３電力量データを貯蔵部１３に貯蔵する（Ｓ４５０）。
【００５３】
図５は、モニタリングサーバ１０で負荷電力モニタリング動作を行う第３実施例による動作を示すフローチャートである。
【００５４】
図５を参照すると、モニタリングサーバ１０は通信部１１を介して電力測定装置１５１、１５２、１５３から電力量データを収集する（Ｓ５１０）。詳しくは、モニタリングサーバ１０は外部電力供給源の出力端に構成される第１電力測定装置１５１、分電盤１２０の入力端に構成される第２電力測定装置１５２及び太陽光発電装置１４０の出力端に構成される第３電力測定装置１５３からそれぞれ測定及び取得される電力量データを収集する。
【００５５】
モニタリングサーバ１０の制御部１２は通信部１１を介して収集された第１電力測定装置１５１の電力量データを確認する（Ｓ５２０）。制御部１２は外部電力供給源１１０から印加された電力量を含む第１電力量データを確認する。
【００５６】
モニタリングサーバ１０の制御部１２は第１電力測定装置１５１の電力量データを確認すると、第２電力測定装置１５２から受信された第２電力量データを確認する（Ｓ５３０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【００５７】
モニタリングサーバ１０の制御部１２は確認された第２電力測定装置１５２の電力量データを確認すると、第３電力測定装置１５３から受信された第３電力量データを確認する（Ｓ５４０）。制御部１２は太陽光発電装置１４０から発電される電力量を含む第３電力量データを確認する。
【００５８】
上述したように、制御部１２は第１電力測定装置１５１、第２電力測定装置１５２及び第３電力測定装置１５３それぞれの発電量または消費電力量を含む電力量データを確認する。
【００５９】
制御部１２は確認された第１電力量データ、第２電力量データ及び第３電力量データを貯蔵部１３に貯蔵する（Ｓ５５０）。
【００６０】
制御部１２は第１実施例、第２実施例及び第３実施例によって確認されて貯蔵部１３に貯蔵された電力量データはユーザの要請などによってその情報を出力部１４を介して出力される。
【００６１】
図６は、本発明の他の実施例による負荷電力モニタリングシステムのブロック構成図である。
【００６２】
図６を参照すると、本発明の他の実施例による負荷電力モニタリングシステムはモニタリングサーバ１０、外部電力供給源１１０、分電盤１２０、電子機器１３０及びエネルギー貯蔵装置１６０を含む。特に、外部電力供給源１１０、分電盤１２０及びエネルギー貯蔵装置１６０の出力端または入力端には装置に流入または出力される電力量データを感知するための電力測定装置１５１、１５２、１５４を含んで構成する。
【００６３】
本発明の他の実施例では、新再生エネルギー源の例としてエネルギー貯蔵装置１６０が構成される場合を例に挙げて説明する。
【００６４】
モニタリングサーバ１０は電力測定装置１５１、１５２、１５４から測定された負荷及び電力源の電力消費量、流入量または電力消費パターンを含む電力量データを取得する。取得されたデータに基づいて負荷の電力をモニタリング及び出力する。
【００６５】
上述したモニタリングサーバ１０の構成は図１４を参照して一実施例で説明したため、その詳細な説明は省略する。
【００６６】
外部電力供給源１１０は発電所のような外部電力発電源であって、外部電力供給源１１０から流入される電力は分電盤１２０を介して宅内電子機器１３０を含む多様な負荷に供給されるか、エネルギー貯蔵装置１６０に電力を印加する。
【００６７】
分電盤１２０は外部電力供給源１１０またはエネルギー貯蔵装置１６０から流入される電力を宅内の電子機器１３０のような多様な負荷に印加されるように分配する。
【００６８】
エネルギー貯蔵装置１６０（ＥＥＳ：Ｅｌｅｃｔｒｉｃ  Ｅｎｅｒｇｙ  Ｓｔｏｒａｇｅ）は外部電力供給源１１０から流入される電力を貯蔵し、貯蔵された電力を一定時点（またはユーザの要請時点）に分電盤１２０を介して電子機器１３０に印加されるようにするエネルギー貯蔵装置である。例えば、深夜時間のように電力消費が少ないか電力使用料金が安い時間帯にエネルギー貯蔵装置１６０に電力を貯蔵し、電力需要量が急増するか電力使用料金が高い時間帯に貯蔵された電力を放電する。
【００６９】
外部電力供給源１１０と分電盤１２０及びエネルギー貯蔵装置１６０の一端にはそれぞれ電力測定装置１５１、１５２、１５４を連結して構成する。
【００７０】
外部電力供給源１１０の一端に連結される第１電力測定装置１５１は外部電力供給源１１０から供給される電力量を測定する少なくとも一つのモジュールで構成される。
【００７１】
分電盤１２０の一端に連結される第２電力測定装置１５２は外部電力供給源１１０またはエネルギー貯蔵装置１６０から流入される電力を宅内電子機器１３０のような多様な負荷に供給する場合、負荷で使用される電力量を測定する少なくとも一つのモジュールで構成される。特に第２電力測定装置１５２は負荷の消費電力量の測定以外に負荷の電力量の使用パターンを測定してもよい。即ち、第２電力測定装置１５２は負荷が消費する電力量以外に負荷の動作状態情報及び電力消費パターン情報を含んで電力量データを測定する。
【００７２】
エネルギー貯蔵装置１６０の一端に連結される第４電力測定装置１５４は外部電力供給源１１０から流入されて貯蔵される電力量と、分電盤１２０に放電される電力量を測定する少なくとも一つのモジュールで構成される。
【００７３】
上述したような電力測定装置を含む負荷電力モニタリングシステムの構成に基づいて、図７乃至図９を参照して他の実施例による負荷電力モニタリングの方法について詳細に説明する。
【００７４】
図７乃至図９は、本発明の他の実施例による負荷電力モニタリングシステムが適用される負荷電力モニタリングの動作を示すフローチャートである。
【００７５】
図７は、モニタリングサーバ１０で負荷電力モニタリング動作を行う第１実施例による動作を示すフローチャートである。
【００７６】
図７を参照すると、モニタリングサーバ１０は通信部１１を介して電力測定装置１５１、１５２、１５４から電力量データを収集する（Ｓ７１０）。詳しくは、モニタリングサーバ１０は外部電力供給源１１０の出力端に構成される第１電力測定装置１５１、分電盤１２０の入力端に構成される第２電力測定装置１５２及びエネルギー貯蔵装置１６０の一端に構成される第４電力測定装置１５４からそれぞれ測定及び取得される電力量データを収集する。
【００７７】
モニタリングサーバ１０の制御部１２は通信部１１を介して収集された第１電力測定装置１５１の電力量データを確認する（Ｓ７２０）。制御部１２は外部電力供給源１１０から印加された電力量を含む第１電力量データを確認する。
【００７８】
モニタリングサーバ１０の制御部１２は第１電力測定装置１５１の電力量データを確認すると、第２電力測定装置１５２から受信された第２電力量データを確認する（Ｓ７３０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【００７９】
モニタリングサーバ１０の制御部１２は第２電力測定装置１５２の電力量データを確認すると、第１電力測定装置１５１及び第２電力測定装置１５２の電力量データに基づいて第４電力測定装置１５４の電力量データを推定し確認する（Ｓ７４０）。詳しくは、制御部１２は第１電力測定装置１５１の第１電力量データと第２電力測定装置１５２の第２電力量データの差（−）によって第４電力測定装置１５４の電力量データを算出する。即ち、外部電力供給源１１０から流入される電力量（第１電力量データ）と分電盤１２０を介して電子機器１３０で消費された電力量（第２電力量データ）の差を算出すると、エネルギー貯蔵装置１６０から充電された電力量（充電電力量）及び放電された電力量（放電電力量）を算出することができる。
【００８０】
上述したように、制御部１２は第１電力測定装置１５１および第２電力測定装置１５２それぞれの流入電力量及び消費電力量を含む電力量データを確認し、確認された電力量データを確認し、確認された電力量データに基づいてエネルギー貯蔵装置１６０のような新再生エネルギー源に対する充電量及び放電量を含む第４電力量データを推定し確認する。即ち、本発明の実施例ではエネルギー貯蔵装置１６０の一端に第４電力測定装置１５４を構成することを例に挙げて説明したが、第４電力測定装置１５４の電力量データは第１電力量データ及び第２電力量データによって推定されるため、第４電力測定装置１５４はシステムの構成実施例によって含まれずに構成されてもよい。
【００８１】
制御部１２は確認された第１電力量データ、第２電力量データ及び第４電力量データを全て貯蔵部１３に貯蔵する（Ｓ７５０）。
【００８２】
図８は、モニタリングサーバ１０で負荷電力モニタリング動作を行う第２実施例による動作を示すフローチャートである。
【００８３】
図８を参照すると、モニタリングサーバ１０は通信部１１を介して電力測定装置１５１、１５２、１５４から電力量データを収集する（Ｓ８１０）。詳しくは、モニタリングサーバ１０は外部電力供給源１１０の出力端に構成される第１電力測定装置１５１、分電盤１２０の入力端に構成される第２電力測定装置１５２及びエネルギー貯蔵装置１６０の一端に構成される第４電力測定装置１５４からそれぞれ測定及び取得される電力量データを収集する。
【００８４】
モニタリングサーバ１０の制御部１２は第２電力測定装置１５２から受信された第２電力量データを確認する（Ｓ８２０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【００８５】
モニタリングサーバ１０の制御部１２は第２電力測定装置１５２の電力量データを確認すると、第４電力測定装置１５４から受信された第４電力量データを確認する（Ｓ８３０）。制御部１２はエネルギー貯蔵装置１６０に貯蔵される電力量及び放電される電力量を含む第４電力量データを確認する。
【００８６】
モニタリングサーバ１０の制御部１２は確認された第２電力測定装置１５２の電力量データ及び第４電力測定装置１５４の電力量データに基づいて第１電力測定装置１５１の電力量データを推定し確認する（Ｓ８４０）。詳しくは、制御部１２は第４電力測定装置１５４の第４電力量データと第２電力測定装置１５２の第２電力量データの合計（＋）によって第１電力測定装置１５１の電力量データを算出する。即ち、エネルギー貯蔵装置１６０に貯蔵された電力量（第４電力量データ）と分電盤１２０を介して電子機器１３０で消費された電力量（第２電力量データ）の合計を算出すると、外部電力供給源１１０から流入される電力量（第１電力量データ）を推定し確認することができる。
【００８７】
上述したように、制御部１２は第２電力測定装置１５２及び第４電力測定装置１５４それぞれの流入電力量及び充放電される電力量を含む電力量データを確認し、確認された電力量データに基づいて外部電力供給源１１０から流入される電力量を含む第１電力測定装置１５１の電力量データを推定し確認する。即ち、本発明の実施例では外部電力供給源１１０の一端に第１電力測定装置１５１を構成することを例に挙げて説明したが、第１電力測定装置１５１の電力量データは第２電力量データ及び第３電力量データによって推定されるため、第１電力測定装置１５１はシステムの構成実施例によって含まれずに構成されてもよい。
【００８８】
制御部１２は確認された第１電力量データ、第２電力量データ及び第４電力量データを全て貯蔵部１３に貯蔵する（Ｓ８５０）。
【００８９】
図９は、モニタリングサーバ１０で負荷電力モニタリング動作を行う第３実施例による動作を示すフローチャートである。
【００９０】
図９を参照すると、モニタリングサーバ１０は通信部１１を介して電力測定装置１５１、１５２、１５４から電力量データを収集する（Ｓ９１０）。詳しくは、モニタリングサーバ１０は外部電力供給源１１０の出力端に構成される第１電力測定装置１５１、分電盤１２０の入力端に構成される第２電力測定装置１５２及びエネルギー貯蔵装置１６０の一端に構成される第４電力測定装置１５４からそれぞれ測定及び取得される電力量データを収集する。
【００９１】
モニタリングサーバ１０の制御部１２は通信部１１を介して収集された第１電力測定装置１５１の電力量データを確認する（Ｓ９２０）。
【００９２】
モニタリングサーバ１０の制御部１２は第１電力測定装置１５１の電力量データを確認すると、第２電力測定装置１５２から受信された第２電力量データを確認する（Ｓ９３０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【００９３】
モニタリングサーバ１０の制御部１２は第２電力測定装置１５２の電力量データを確認すると、第４電力測定装置１５４から受信された第４電力量データを確認する（Ｓ９４０）。制御部１２はエネルギー貯蔵装置１６０に貯蔵される電力量及び放電される電力量を含む第４電力量データを確認する。
【００９４】
上述したように、制御部１２は第１電力測定装置１５１、第２電力測定装置１５２および第４電力測定装置１５４それぞれの発電量または消費電力量及び充放電電力量を含む電力量データを確認する。
【００９５】
制御部１２は確認された第１電力量データ、第２電力量データ及び第４電力量データを貯蔵部１３に貯蔵する（Ｓ９５０）。
【００９６】
制御部１２は第１実施例、第２実施例及び第３実施例によって確認されて貯蔵部１３に貯蔵された電力量データはユーザの要請などによってその情報を出力部１４を介して出力する。
【００９７】
図１０は、本発明のまた他の実施例による負荷電力モニタリングシステムのブロック構成図である。
【００９８】
図１０を参照すると、本発明の他の実施例による負荷電力モニタリングシステムはモニタリングサーバ１０、外部電力供給源１１０、分電盤１２０、電子機器１３０、太陽光発電装置１４０及びエネルギー貯蔵装置１６０を含む。特に、外部電力供給源１１０、分電盤１２０、太陽光発電装置１４０及びエネルギー貯蔵装置１６０の一端には装置に流入または出力される電力量データを感知するための電力測定装置１５１、１５２、１５３、１５４を含んで構成する。
【００９９】
本発明のまた他の実施例では、新再生エネルギー源の例として太陽光発電装置１４０とエネルギー貯蔵装置１６０が一緒に構成された場合、即ち複数の新再生エネルギー源が連結される構成を説明する。
【０１００】
モニタリングサーバ１０は電力測定装置１５１、１５２、１５３，１５４から測定された負荷及び電力源の電力消費量、流入量、充放電量及び電力消費パターンを含む電力量データを取得する。取得されたデータに基づいて負荷の電力をモニタリング及び出力する。
【０１０１】
上述したモニタリングサーバ１０の構成は図１４を参照して位置実施例で説明したため、その詳細な説明は省略する。
【０１０２】
外部電力供給源１１０は発電所のような外部電力発電源であって、外部電力供給源１１０から流入される電力は分電盤１２０を介して宅内電子機器１３０を含む多様な負荷に供給されるか、エネルギー貯蔵装置１６０に電力を印加する。
【０１０３】
分電盤１２０は外部電力供給源１１０、太陽光発電装置１４０またはエネルギー貯蔵装置１６０から流入される電力を宅内の電子機器１３０のような多様な負荷に印加されるように分配する。
【０１０４】
太陽光発電装置１４０は太陽光モジュール１４１及び制御モジュール１４２を含んで構成される。太陽光発電装置１４０の太陽光モジュール１４１に入射される太陽光エネルギーを制御モジュール１４２で交流電力を変換して分電盤１２０に供給されるようにする。
【０１０５】
エネルギー貯蔵装置１６０は外部電力供給源１１０から流入される電力を貯蔵し、貯蔵された電力を一定時点（またはユーザの要請時点）に分電盤１２０を介して電子機器１３０に印加されるようにするエネルギー貯蔵装置である。例えば、深夜時間のように電力消費が少ないか電力使用料金が安い時間帯にエネルギー貯蔵装置１６０に電力を貯蔵し、電力需要量が急増するか電力使用料金が高い時間帯に貯蔵された電力を放電する。
【０１０６】
外部電力供給源１１０、分電盤１２０、太陽光発電装置１４０及びエネルギー貯蔵装置１６０の一端にはそれぞれ電力測定装置１５１、１５２、１５３、１５４を連結して構成する。
【０１０７】
外部電力供給源１１０の一端に連結される第１電力測定装置１５１は外部電力供給源１１０から供給される電力量を測定する少なくとも一つのモジュールで構成される。
【０１０８】
分電盤１２０の一端に連結される第２電力測定装置１５２は外部電力供給源１１０または太陽光発電装置１４０またはエネルギー貯蔵装置１６０から流入される電力を宅内電子機器１３０のような多様な負荷に供給する場合、負荷で使用される電力量を測定する少なくとも一つのモジュールで構成される。特に第２電力測定装置１５２は負荷の消費電力量の測定以外に負荷の電力量の使用パターンを測定してもよい。即ち、第２電力測定装置１５２は負荷が消費する電力量以外に負荷の動作状態情報及び電力消費パターン情報を含んで電力量データを測定する。
【０１０９】
太陽光発電装置１４０の出力端に連結される第３電力測定装置１５３は、太陽光発電装置１４０から発電される電力量を測定する少なくとも一つのモジュールで構成される。
【０１１０】
エネルギー貯蔵装置１６０の一端に連結される第４電力測定装置１５４は外部電力供給源１１０から流入されて貯蔵される電力量と、分電盤１２０に放電される電力量を測定する少なくとも一つのモジュールで構成される。
【０１１１】
上述したような電力測定装置を含む負荷電力モニタリングシステムの構成に基づいて、図１１乃至図１３を参照してまた他の実施例による負荷電力モニタリングの方法について詳細に説明する。
【０１１２】
図１１乃至図１３は、本発明のまた他の実施例による負荷電力もモニタリングシステムが適用される負荷電力モニタリングの動作を示すフローチャートである。
【０１１３】
図１１は、モニタリングサーバ１０で負荷電力モニタリング動作を行う第１実施例による動作を示すフローチャートである。
【０１１４】
図１１を参照すると、モニタリングサーバ１０は通信部１１を介して電力測定装置１５１、１５２、１５３、１５４から電力量データを収集する（Ｓ１１１０）。詳しくは、モニタリングサーバ１０は外部電力供給源１１０の出力端に構成される第１電力測定装置１５１、分電盤１２０の入力端に構成される第２電力測定装置１５２、太陽光発電装置１４０の出力端に構成される第３電力測定装置１５３及びエネルギー貯蔵装置１６０の一端に構成される第４電力測定装置１５４からそれぞれ測定及び取得される電力量データを収集する。
【０１１５】
モニタリングサーバ１０の制御部１２は通信部１１を介して収集された第１電力測定装置１５１の電力量データを確認する（Ｓ１１２０）。制御部１２は外部電力供給源１１０から印加された電力量を含む第１電力量データを確認する。
【０１１６】
モニタリングサーバ１０の制御部１２は第１電力測定装置１５１の電力量データを確認すると、第２電力測定装置１５２から受信された第２電力量データを確認する（Ｓ１１３０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【０１１７】
モニタリングサーバ１０の制御部１２は第２電力測定装置１５２の電力量データを確認すると、第４電力測定装置１５４から受信された第４電力量データを確認する（Ｓ１１４０）。制御部１２はエネルギー貯蔵装置１６０に充電される電力量及び分電盤１２０を介して電子機器１３０に印加される放電電力量を含む第４電力量データを確認する。
【０１１８】
モニタリングサーバ１０の制御部１２は通信部１１を介して収集された第１電力測定装置１５１、第２電力測定装置１５２及び第４電力測定装置１５４の電力量データに基づいて第３電力測定装置１５３の電力量データを推定し確認する（Ｓ１１５０）。詳しくは、制御部１２は第４電力測定装置１５４の第４電力量データと第２電力測定装置１５２の第２電力量データの合計（＋）から第１電力測定装置１５１の第１電力量データを引くと（−）、第３電力測定装置１５３で測定される太陽光発電装置１４０で発電した電力量（第３電力量データ）を推定し確認することができる。
【０１１９】
上述したように、制御部１２は第１電力測定装置１５１、第２電力測定装置１５２及び第４電力測定装置１５４の電力量データを確認し、確認された電力量データに基づいて太陽光発電装置１４０で発電した電力量を含む第３電力測定装置１５３の第３電力量データを推定し確認する。即ち、本発明の実施例では太陽光発電装置１４０の一端に第３電力測定装置１５３を構成することを例に挙げて説明したが、第３電力測定装置１５３の電力量データは第１電力量データ、第２電力量データ及び第４電力量データによって推定されるため、第３電力測定装置１５３はシステムの構成実施例によって含まれずに構成されてもよい。
【０１２０】
制御部１２は確認された第１電力量データ、第２電力量データ、第３電力量データ及び第４電力量データを全て貯蔵部１３に貯蔵する（Ｓ１１６０）。
【０１２１】
図１２は、モニタリングサーバ１０で負荷電力モニタリング動作を行う第２実施例による動作を示すフローチャートである。
【０１２２】
図１２を参照すると、モニタリングサーバ１０は通信部１１を介して電力測定装置１５１、１５２、１５３、１５４から電力量データを収集する（Ｓ１２１０）。詳しくは、モニタリングサーバ１０は外部電力供給源１１０の出力端に構成される第１電力測定装置１５１、分電盤１２０の入力端に構成される第２電力測定装置１５２、太陽光発電装置１４０の出力端に構成される第３電力測定装置１５３及びエネルギー貯蔵装置１６０の一端に構成される第４電力測定装置１５４からそれぞれ測定及び取得される電力量データを収集する。
【０１２３】
モニタリングサーバ１０の制御部１２は通信部１１を介して収集された第１電力測定装置１５１の電力量データを確認する（Ｓ１２２０）。制御部１２は外部電力供給源１１０から印加された電力量を含む第１電力量データを確認する。
【０１２４】
モニタリングサーバ１０の制御部１２は第１電力測定装置１５１の電力量データを確認すると、第２電力測定装置１５２から受信された第２電力量データを確認する（Ｓ１２３０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【０１２５】
モニタリングサーバ１０の制御部１２は第１電力測定装置１５１、第２電力測定装置１５２及び第３電力測定装置１５３の電力量データに基づいて第４電力測定装置１５４の電力量データを推定し確認する（Ｓ１２４０）。詳しくは、制御部１２は第１電力測定装置１５１の第１電力量データと第３電力測定装置１５３の第３電力量データの合計（＋）から第２電力測定装置１５２の第２電力量データを引くと（−）、第４電力測定装置１５４で確認される電力充電量及び放電量（第４電力量データ）を推定し確認することができる。この際、第１電力量データと第３電力量データの合計（＋）が第２電力量データを超過すれば充電された電力量データであり、第１電力量データと第３電力量データの合計（＋）が第２電力量データ未満であれば放電された電力量データを定義する。
【０１２６】
モニタリングサーバ１０の制御部１２は第４電力量データを確認すると第３電力測定装置１５３から受信された第３電力量データを確認する（Ｓ１２５０）。制御部１２は太陽光発電装置１４０から発電された電力量を含む第３電力量データを確認する。
【０１２７】
上述したように、制御部１２は第１電力測定装置１５１、第２電力測定装置１５２及び第３電力測定装置１５３の電力量データを確認し、確認された電力量データに基づいてエネルギー貯蔵装置１６０に充電及び放電される電力量（第４電力量データ）を推定し確認する。即ち、本発明の実施例ではエネルギー貯蔵装置１６０の一端に第４電力測定装置１５４を構成することを例に挙げて説明したが、第４電力測定装置１５４の電力量データは第１電力量データ、第２電力量データ及び第３電力量データによって推定されるため、第４電力測定装置１５４はシステムの構成実施例によって含まれずに構成されてもよい。
【０１２８】
制御部１２は確認された第１電力量データ、第２電力量データ、第３電力量データ及び第４電力量データを貯蔵部１３に貯蔵する（Ｓ１２６０）。
【０１２９】
図１３は、モニタリングサーバ１０で負荷電力モニタリング動作を行う第２実施例による動作を示すフローチャートである。
【０１３０】
図１３を参照すると、モニタリングサーバ１０は通信部１１を介して電力測定装置１５１、１５２、１５３、１５４から電力量データを収集する（Ｓ１３１０）。詳しくは、モニタリングサーバ１０は外部電力供給源１１０の出力端に構成される第１電力測定装置１５１、分電盤１２０の入力端に構成される第２電力測定装置１５２、太陽光発電装置１４０の出力端に構成される第３電力測定装置１５３及びエネルギー貯蔵装置１６０の一端に構成される第４電力測定装置１５４からそれぞれ測定及び取得される電力量データを収集する。
【０１３１】
モニタリングサーバ１０の制御部１２は第１２電力測定装置１５２から受信された第２電力量データを確認する（Ｓ１３２０）。制御部１２は分電盤１２０を介して電力が供給される電子機器１３０で電力使用量パターン及び電力消費量に関する情報を含む第２電力量データを確認する。この際、電力使用量パターンに関する情報はＮＩＬＭアルゴリズムを介して取得する。
【０１３２】
モニタリングサーバ１０の制御部１２は第２電力測定装置１５２の電力量データを確認すると、第４電力測定装置１５４から受信された第４電力量データを確認する（Ｓ１３３０）。制御部１２はエネルギー貯蔵装置１６０に貯蔵される電力量及び放電される電力量を含む第４電力量データを確認する。
【０１３３】
モニタリングサーバ１０の制御部１２は第４電力測定装置１５４の電力量データを確認すると、第３電力測定装置１５３から受信された第３電力量データを確認する（Ｓ１３４０）。制御部１２は太陽光発電装置１４０から発電される電力量を含む第３電力量データを確認する。
【０１３４】
モニタリングサーバ１０の制御部１２は確認された第２電力測定装置１５２、第３電力測定装置１５３及び第４電力測定装置１５４の電力量データに基づいて第１電力測定装置１５１の電力量データを推定し確認する（Ｓ１３５０）。詳しくは、制御部１２は第２電力測定装置１５２の第２電力量データと第４電力測定装置１５４の第４電力量データの合計（＋）から第３電力測定装置１５３の第３電力量データを引くと（−）、第１電力測定装置１５１で確認される外部電力供給源１１０から流入される電力量を含む第１電力量データを推定し確認することができる。
【０１３５】
上述したように、制御部１２は第２電力測定装置１５２、第３電力測定装置１５３及び第４電力測定装置１５４の電力量データを確認し、確認された電力量データに基づいて外部電力供給源１１０の電力量（第１電力量データ）を推定し確認する。即ち、本発明の実施例では外部電力供給源１１０の一端に第１電力測定装置１５１を構成することを例に挙げて説明したが、第１電力測定装置１５１の電力量データは第２電力量データ、第３電力量データ及び第４電力量データによって推定されるため、第１電力測定装置１５１はシステムの構成実施例によって含まれずに構成されてもよい。
【０１３６】
制御部１２は確認された第１電力量データ、第２電力量データ、第３電力量データ及び第４電力量データを貯蔵部１３に貯蔵する（Ｓ１３６０）。
【０１３７】
図１５は本発明の実施例による負荷電力モニタリングの結果を出力する動作を示すフローチャートであり、図１６は本発明の実施例による負荷電力モニタリングの結果の出力例示図である。
【０１３８】
図１５及び図１５を参照して、本発明の実施例によってモニタリングサーバ１０の貯蔵部１３に貯蔵された負荷電力モニタリングの結果を出力するための動作を詳細に説明する。
【０１３９】
図１５及び図１６を参照すると、モニタリングサーバ１０の制御部１２は本発明の一実施例、他の実施例及びまた他の実施例によって測定及び取得されて貯蔵部１３に貯蔵された電力量データの出力要請信号を感知する（Ｓ１５１０）。出力要請信号はユーザ入力部（図示せず）を介して入力されるか、遠隔地の端末機などから有線または無線で受信される。
【０１４０】
モニタリングサーバ１０の制御部１２は貯蔵部１３に貯蔵された電力量データを抽出し（Ｓ１５２０）、図１６のようにグラフ、数値、テキストなどの多様な様相で電力量データを表示する（Ｓ１５３０）。図１６は電子機器、新再生エネルギー源の消費電力量または充電量に関する情報を図示化したものである。その例として、Ａ乃至Ｃは家電機器１３０の電力量データの例であり、Ｄは新再生エネルギー源１４０、１６０の電力量データの例である。家電機器の電力量データの場合、ＮＩＬＭ分析に要求されるデータが感知されることで電力量データの周期が短く示される。
【０１４１】
本発明の実施例では外部電力供給源１１０、分電盤１２０に連結される電子機器１３０、太陽光発電装置１４０及びエネルギー貯蔵装置１６０でそれぞれ電力量データを測定するか推定するための動作を順次に説明したが、上述した電力量データを推定するか測定するための動作の順番は限定されず、多様な形態に可変して実行してもよい。
【０１４２】
これまで本発明についてその好ましい実施例を中心に説明したが、これは単なる例示であって本発明を限定するものではなく、本発明の属する分野の通常の知識を有する者であれば本発明の本質的な特性を逸脱しない範囲内で前記に例示されていない様々な変形と応用が可能であることが分かる。例えば、本発明の実施例に具体的に示された各構成要素は変形して実施し得るものである。そして、このような変形と応用に関する差は添付した特許請求の範囲で規定する本発明の範囲に含まれると解析すべきである。
【図１】
2016197988.tif 000003
【図２】
2016197988.tif 000004
【図３】
2016197988.tif 000005
【図４】
2016197988.tif 000006
【図５】
2016197988.tif 000007
【図６】
2016197988.tif 000008
【図７】
2016197988.tif 000009
【図８】
2016197988.tif 000010
【図９】
2016197988.tif 000011
【図１０】
2016197988.tif 000012
【図１１】
2016197988.tif 000013
【図１２】
2016197988.tif 000014
【図１３】
2016197988.tif 000015
【図１４】
2016197988.tif 000016
【図１５】
2016197988.tif 000017
【図１６】
2016197988.tif 000018